(57)【特許請求の範囲】
【請求項１】
アイアンゴルフクラブのフェース面に貼ることのできるボール衝突点変色シールであって、該ボール衝突点変色シールは、短直線からなるヒール側辺と、曲率半径が５０ｍｍ〜３５０ｍｍである凸状の湾曲線を有する底辺と、ヒール部側への傾斜線を有するトップエッジ辺と、トウ側辺とで囲まれる形状をなし、その表面には該底辺の１点を下端とする該ヒール側辺から２８．５ｍｍ±１０ｍｍ離れて位置している該ヒール側辺と平行な縦軸線と、該縦軸線と直交する該縦軸線の最下端から２１ｍｍ±１０ｍｍ上方に位置している横軸線を有し、該縦軸線の左右に縦軸線と平行にそれぞれ縦軸線から５ｍｍ離れた位置に補助縦軸線を有し、該横軸線の上下に横軸線と平行にそれぞれ横軸線から５ｍｍ離れた位置に補助横軸線を有し、外形形状において該横軸線より下部に、縦軸線を介して左右の位置にそれぞれ横軸線と平行な切り欠き部を有することを特徴とするボール衝突点変色シール。
【請求項２】
前記ボール衝突点変色シールは、表面の縦軸線の最下端を基準として３ｍｍ〜１０ｍｍピッチの目盛を有し、補助横軸線の下部から底辺の間に横軸線と平行な破線を有することを特徴とする請求項１に記載したボール衝突点変色シール。
【発明の詳細な説明】
【０００１】
【発明の属する技術分野】
この発明はアイアン用ゴルフクラブのフェース面に貼ることのできるボール衝突点変色シールに関する技術分野に属するものである。
【０００２】
【従来の技術】
従来のボール衝突点変色シールにおいて、実開昭５８−７７７７１号には、ゴルフクラブのヘッドの表面型に成形され、多層構造であることを特徴とする打痕表示カードが開示されている。また、実開昭４９−７１０６８号には、表面に数条の同心円形線又は縦横線、及び中心部に中心孔又は下側中心部に中心線が附されたことを特徴とするゴルフ打撃用練習感圧紙（登録商標）が開示されている。さらに実開昭５８−８９０７２号には、表面形状が楕円形状であることを特徴とするスイートスポットマーキングシートが開示されている。
【０００３】
【発明が解決しようとする課題】
しかし、実開昭５８−７７７７１号に開示された打痕表示カードは、表面形状がゴルフクラブのヘッドの表面型であるとされている。しかしゴルフクラブのフェース面形状は統一されたものではなく、種種の形状が存在する。従って、該打痕表示カードを実際に市場に提供する為には、多くのゴルフクラブのフェース面形状に対応する為に生産者がかなりの種類の形状の該打痕表示カードを用意せねばならないという問題点があった。
【０００４】
また、実開昭４９−７１０６８号に開示されたゴルフ打撃練習感圧紙には、該感圧紙表面に数条の同心円形線又は縦横線、及び中心部に中心孔又は下側中心部に中心線が附されているが、該感圧紙表面の中心部をゴルフクラブフェース面のどの位置に合わせ、該ゴルフ打撃練習感圧紙をゴルフクラブフェース面に貼るのかが全く不明である。従って、ゴルフ打撃練習により該感圧紙表面に付着した打痕が実際のゴルフクラブのスイートスポットと、どの程度離れているのかが全く不明であるといった問題点があった。
【０００５】
さらに、実開昭５８−８９０７２号に開示されたスイートスポットマーキングシートは、表面形状が楕円形状であり、ゴルフクラブのフェース面のスコアラインといかにして平行に位置を決めるのかといった考慮がなされていない。従って、ゴルフクラブのフェース面へ該スイートスポットマーキングシートを貼り付けても、該シート全体が左右に傾斜しやすい。つまり、傾斜して該スイートスポットマーキングシートがゴルフクラブのフェース面へ貼り付けられていた場合、該スイートスポットマーキングシートをゴルフクラブのフェース面より剥がした後では該スイートスポットマーキングシート表面に付着した打痕の位置が、ゴルフクラブのフェース面の打撃位置を特定出来ないという問題があった。
【０００６】
そこで本発明のボール衝突点変色シールは、ゴルフクラブフェース面のどの位置に貼るのかが不適格であるという点や、ゴルフクラブフェース面に貼りつけられたシールのシール表面に示された線や区域が実際のゴルフクラブフェース面のスイートスポットと必ずしも対応していないという問題点、シールをゴルフクラブフェース面に貼りつけた時、シール全体がゴルフクラブのフェース面上で傾斜しやすいという問題点を根本的に解決するという事を目的とする。
【０００７】
【発明が解決しようとする手段】
そこで上記問題を解決し、多くのアイアンゴルフクラブのフェース面に対応可能で、ゴルフクラブフェース面への貼りつけ位置がわかりやすく、また打撃練習によって形成される打痕の位置と実際のゴルフクラブフェース面のスイートスポットの位置とが対比しやすく、ゴルフクラブフェース面で傾斜して貼りつけられることが極端に少いというボール衝突点変色シールに関する発明をするに至った。
【０００８】
即ち本発明に係わるボール衝突点変色シールは、短直線からなるヒール側辺と、曲率半径が５０ｍｍ〜３５０ｍｍである凸状の湾曲線を有する底辺と、ヒール部側への傾斜線を有するトップエッジ辺と、トウ側辺とで囲まれる形状をなし、その表面には該底辺の１点を下端とする該ヒール側辺から２８．５ｍｍ±１０ｍｍ離れて位置している該ヒール側辺と平行な縦軸線と、該縦軸線と直交する該縦軸線の最下端から２１ｍｍ±１０ｍｍ上方に位置している横軸線を有し、該縦軸線の左右に縦軸線と平行にそれぞれ縦軸線から５ｍｍ離れた位置に補助縦軸線を有し、該横軸線の上下に横軸線と平行にそれぞれ横軸線から５ｍｍ離れた位置に補助横軸線を有し、外形形状において該横軸線より下部に、縦軸線を介して左右の位置にそれぞれ横軸線と平行な切り欠き部を有することを特徴としている。
【０００９】
【発明の実施の形態】
本発明の実施の形態について、以下に説明する。
図１−ａに示すとおり、本発明に係わるボール衝突点変色シールは、短直線からなるヒール側辺（９）と、凸状の湾曲線を有する底辺（１０）と、ヒール部側への傾斜線を有するトップエッジ辺（１１）と、トウ側辺（１２）とで囲まれる形状をなし、表面には該底辺（１０）の１点を下端とする前記ヒール側辺（９）と平行な縦軸線（２）と、該縦軸線（２）と直交する横軸線（３）を有している。前記縦軸線（２）は、ヒール側辺（９）から２８．５ｍｍ±１０ｍｍ離れて位置し、前記横軸線（３）は、縦軸線（２）の最下端から２１ｍｍ±１０ｍｍ上方に位置する。本発明に係わるボール衝突点変色シールは、以下に述べるとおりの所定の位置に貼りつけると、種類の異なるアイアンゴルフクラブであっても、そのスイートスポットが、該シールの前記縦軸線（２）、及び前記横軸線（３）の近傍に位置するものである。
【００１０】
図１−ｂに示すとおり、通常のアイアンゴルフクラブのフェース面は、ヒール部側への傾斜線を有するトップエッジ（１３）と凸状の湾曲線とを有するリーディングエッジ（１４）を含む形状であり、フェース面には数本のスコアライン（Ｅ）が存在する。また、該スコアラインの中でフェース面の下部に位置する数本のスコアラインは一定の長さであり、それらのヒール部側端を結び直線はスコアライン（Ｅ）と垂直である。図１− ｂに示すとおり、該複数のスコアライン（Ｅ）のヒール部側端を結ぶ直線を基準端線（Ｎ）とした。以下に示す測定結果より、該基準端線（Ｎ）から外側に向かって一定の距離範囲に、及びフェース面の下端部（以下リーディングエッジの下端部とする。）から上方へ一定の距離範囲に多くのゴルフクラブのスイートスポットが存在することがわかった。
【００１１】
図２に、現在販売されている数十種類のゴルフクラブのスイートスポットの位置の測定結果をグラフによって示した。図３に示すとおり、図２のグラフにおける横軸は基準端線（Ｎ）からスイートスポットの位置（Ｓ）までの距離（Ｊ）である。又、図２のグラフにおける縦軸はゴルフクラブのリーディングエッジ（１４）の下端部からスイートスポットの位置（Ｓ）までの距離（Ｋ）である。図２のグラフに示すとおり、今回測定に用いたゴルフクラブは、スイートスポットの位置が、基準端線（Ｎ）から外側に向かって２４ｍｍから３４ｍｍ までの距離範囲にあり、その平均距離は２８．５ｍｍである。また、該スイートスポットの位置は、ゴルフクラブのリーディングエッジの下端部から上方へ１９ｍｍから２５ｍｍ までの距離範囲にあり、その平均距離は２１．０ｍｍである。
【００１２】
従って、図４に示すとおり、本発明に係わるボール衝突点変色シールのヒール側辺（９）を、アイアンゴルフクラブの基準端線（Ｎ）にあわせ、横軸線（３）とスコアライン（Ｅ）が平行になるように貼りつけると、本発明に係わるボール衝突点変色シールの縦軸線が多くのアイアンゴルフクラブのスイートスポット付近に位置する。
図２に示した測定結果より、本発明に係わるボール衝突点変色シールの縦軸線が、ヒール側辺から２８．５ｍｍ±１０ｍｍ離れて（ヒール側辺から外側に向かって１８．５ｍｍ〜３８．５ｍｍの位置に）位置し、多くのゴルフクラブのスイートスポット付近に位置する。また、該範囲の中でも、前記縦軸線が、ヒール側辺から２８．５ｍｍ±５ｍｍ離れて（ヒール側辺から外側に向かって２３．５ｍｍ〜３３．５ｍｍの位置に）位置する場合、多くのゴルフクラブのスイートスポットのより近傍に位置する。
【００１３】
またさらに、図４に示すとおり、本発明に係わるボール衝突点変色シールの湾曲線を有する底辺（１０）の最下端とアイアンゴルフクラブのリーディングエッジ（１４）とが接するようにあわせ、前記横軸線（３）とスコアライン（Ｅ）が平行になるように貼りつけると、本発明に係わるボール衝突点変色シールの横軸線（３）が多くのアイアンゴルフクラブのスイートスポット付近に位置する。図２に示した測定結果より、本発明に係わるボール衝突点変色シールの横軸線が、縦軸線の最下端から２１．０ｍｍ±１０ｍｍ離れて（縦軸線の最下端から上方に向かって１１．０ｍｍ〜３１．０ｍｍの位置に）位置し、多くのゴルフクラブのスイートスポット付近に位置する。また、該範囲の中でも、前記横軸線が、縦軸線の最下端から２１．０ｍｍ±５ｍｍ離れて（縦軸線の最下端から上方に向かって１６．０ｍｍ〜３６．０ｍｍの位置に）位置する場合、多くのゴルフクラブのスイートスポットのより近傍に位置する。
【００１４】
前記のとおり本発明に係わるボール衝突点変色シールをゴルフクラブのフェース面へ貼りつけて打撃練習を行った時、以下のことが可能となる。ボール衝突点変色シールに形成された打痕の位置を、縦軸線、及び横軸線の位置と比較することにより、ゴルフクラブのスイートスポットの位置からどの程度離れているかがわかる。
【００１５】
更に、図４に示すように、本発明に係わるボール衝突点変色シールは、表面に縦軸線（２）の左右に縦軸線と平行にそれぞれ補助縦軸線（４−１、４−２）を有し、横軸線（３）の上下に横軸線と平行にそれぞれ補助横軸線（５−１、５−２）を有している。該補助縦軸線の位置は、図２に示した測定結果を考慮すると、縦軸線（２）からそれぞれ５ｍｍ離れているのが望ましい。また、該補助横軸線の位置は、後述の理由により、横軸線（３）からそれぞれ５ｍｍ離れているのが望ましい。
【００１６】
本発明に係わるボール衝突点変色シールは、表面に示された線によって、ゴルフクラブのスイートスポットの位置がある程度、認識可能なシールである。そこで、本発明に係わるボール衝突点変色シールは、よりスイートスポットの位置を認識しやすいように前記縦軸線、及び横軸線に加え、補助縦軸線、及び補助横軸線を有し、スイートスポットの存在する領域が示されている。
図２のグラフに示すとおり、今回測定に用いたゴルフクラブは、スイートスポットの位置が、基準端線（Ｎ）から外側に向かって２４ｍｍから３４ｍｍ までの１０ｍｍの距離範囲にある。よって、本発明に係わるボール衝突点変色シールは、表面に前記縦軸線の左右に縦軸線と平行にそれぞれ５ｍｍ離れて補助縦軸線を有する。従って、本発明に係わるボール衝突点変色シールをゴルフクラブのフェース面へ貼りつけた時、該補助縦軸線に囲まれた１０ｍｍの距離範囲内にスイートスポットの位置が存在するものとした。
【００１７】
同様に、図２のグラフに示すとおり、今回測定に用いたゴルフクラブは、スイートスポットの位置が、ゴルフクラブのリーディングエッジから上方へ１９ｍｍから２５ｍｍ までの６ｍｍの距離範囲にある。よって、本発明に係わるボール衝突点変色シールは、表面に前記横軸線の上下に横軸線と平行にそれぞれ５ｍｍ離れて補助横軸線を有する。従って、本発明に係わるボール衝突点変色シールをゴルフクラブのフェース面へ貼りつけた時、該補助縦軸線に囲まれた１０ｍｍの距離範囲内にスイートスポットの位置が存在するものとした。
【００１８】
従って、本発明に係わるボール衝突点変色シールをゴルフクラブのフェース面へ貼りつけて打撃練習を行った時、以下のことが可能となる。該ボール衝突点変色シールに形成された打痕の位置を、補助縦軸線、及び前記横軸線によって囲まれた領域の位置と比較することにより、ゴルフクラブのスイートスポットの位置からどの程度離れているかがわかる。
【００１９】
また、本発明に係わるボール衝突点変色シールは、曲率半径が、５０ｍｍ〜３５０ｍｍである凸状の湾曲線を有する底辺よりなる。
図５−ａに示すとおり、本発明に係わるボール衝突点変色シールをゴルフクラブのフェース面に貼りつける際には、該シールの凸状の湾曲線を有する底辺（１０）の最下端とアイアンゴルフクラブのリーディングエッジ（１４）とが接するようにあわせる。従って、図５−ｂ、及び図５−ｃに示すとおり、該シール底辺における凸状の湾曲線の曲率半径（ｒ）は、前記リーディングエッジの曲率半径（Ｒ）よりも小さくなければならない。該リーディングエッジの曲率半径（Ｒ）は、通常、１７０ｍｍ〜４００ｍｍであるため、前記シール底辺における凸状の湾曲線の曲率半径（ｒ）を設定した。前記シール底辺における凸状の湾曲線の曲率半径の範囲の中で特に、７０ｍｍ〜１５０ｍｍの範囲であれば、より、該シール底辺の最下端と前記リーディングエッジとが接するようにあわせ易い。
【００２０】
また、図６−ａに示すとおり、本発明に係わるボール衝突点変色シールは、外形形状において前記横軸線（３）より下部に、縦軸線（２）を軸として対称の位置に横軸線（３）と平行な切り欠き部（Ｃ）を有する。該切り欠き部（Ｃ）は２ｍｍ以上であり、１０ｍｍ以下である。また、通常、該切り欠き部（Ｃ）は２箇所であることが多いが４箇所以上であっても可能である。図５−ａに示すとおり、ゴルフクラブのフェース面上で、前記のとおりに本発明に係わるボール衝突点変色シールを貼りつける際、該切り欠き部（Ｃ）をゴルフクラブのスコアラインと平行に合わせることにより、該シール全体がゴルフクラブのフェース面で左右に傾くことなく貼りつけることができる。
以上が、本発明の請求項１についての実施の形態である。以下に、本発明の請求項２についての実施の形態を記載する。
【００２１】
また、図６−ｂに示すとおり、本発明に係わるボール衝突点変色シールの縦軸線（２）に最下端を基準として３ｍｍ〜１０ｍｍピッチの目盛（７）を有し、さらに２本の補助横軸線（５−１、及び５−２）の内、下側の補助横軸線（５−２）の下部から底辺の間に前記横軸線（３）と平行な破線（８）を有する。該破線（８）は通常２本から３本であるが、４本以上でも可能である。
本発明に係わるボール衝突点変色シールをゴルフクラブのフェース面に貼りつける際、該破線（８）をゴルフクラブのスコアライン（Ｅ）と平行に合わせることにより、より該シール全体がゴルフクラブのフェース面で左右に傾くことなく貼りつけることができる。
【００２２】
【実施例】
本発明の実施例を図面に基づき説明する。図７−ａ に示すとおり、本発明に係わるボール衝突点変色シール（１）は、短直線からなるヒール側辺（９）と、凸状の湾曲線を有する底辺（１０）と、ヒール部側への傾斜線を有するトップエッジ辺（１１）と、トウ側辺（１２）とで囲まれる形状をなし、その表面には該底辺（１０）の１点を下端とする前記ヒール側辺と平行な縦軸線（２）と、該縦軸線（２）と直交する横軸線（３）を有する。該縦軸線（２）は、ヒール側辺から２９．５ｍｍ離れて位置し、該横軸線（３）は、縦軸線（２）の最下端から２０ｍｍ上方に位置する。
また、図７−ｂに示すとおり、該シール表面には前記縦軸線（２）の左右に縦軸線と平行にそれぞれ縦軸線から５ｍｍ離れた２本の補助縦軸線（４−１、及び４−２）を有し、前記横軸線（３）の上下に横軸線（３）と平行にそれぞれ横軸線から５ｍｍ離れた２本の補助横軸線（５−１、及び５−２）を有する。
【００２３】
また、図７−ｂ に示すとおり、本発明に係わるボール衝突点変色シール（１）は、曲率半径（ｒ）が、１１０ｍｍである凸状の湾曲線の底辺（１０）を有し、横軸線（３）より下部に、縦軸線（２）を介して左右の位置にそれぞれ前記横軸線と平行な切り欠き部（Ｃ）を有する。
さらに、該シール（１）の表面には前記縦軸線（２）上に縦軸線最下端を基準として５ｍｍピッチの目盛（７）を有し、前記補助横軸線（５−２）の下部から底辺の間に前記横軸線と平行な２本の破線（８−１、及び８−２）を有する。
【００２４】
図４に示すとおり、本発明に係わるボール衝突点変色シールのヒール側辺（９）を、アイアンゴルフクラブの基準端線（Ｎ）にあわせ、前記横軸線（３）とスコアライン（Ｅ）が平行になるように、そして該シール（１）の湾曲線を有する底辺（１０）の最下端とアイアンゴルフクラブのリーディングエッジ（１４）とが接するように貼りつけると、本発明に係わるボール衝突点変色シールの２本の補助縦軸線（４−１、及び４−２）、及び２本の補助横軸線（５−１、及び５−２）で囲まれた領域が多くのゴルフクラブのスイートスポットを含む。
【００２５】
従って、ゴルフ打撃練習により本発明に係わるボール衝突点変色シールに付着した打痕が実際のゴルフクラブのスイートスポットと、どの程度離れているのかが一目瞭然である。また、該シール（１）表面における切り欠き部（Ｃ）、及び破線（８）をスコアライン（Ｅ）と平行にあわせることにより、より該シール全体がゴルフクラブのフェース面で左右に傾くことなく貼りつけることができる。
【００２６】
【発明の効果】
本発明は以上説明したような形態で実施され、以下に記載されるような効果を奏する。
本発明のシールを異なったフェース面形状のゴルフクラブにはりつけても、そのゴルフクラブのスイートスポット付近に該シールの縦軸線、及び横軸線等が位置するように貼りつけることが可能である。また打撃練習によって本発明に係わるボール衝突点変色シールに形成される打痕の位置と実際のゴルフクラブフェース面のスイートスポットの位置とが対比しやすく、またゴルフクラブフェース面で傾斜して貼りつけられることが極端に少い。
【００２７】
【図面の簡単な説明】
【図１】図１−ａは、本発明のボール衝突点変色シールの正面図であり、図１−ｂは、通常のアイアンゴルフクラブのフェース面の正面図である。
【図２】図２は、現在販売されている数十種類のアイアンゴルフクラブのスイートスポット位置を示すグラフである。
【図３】図３は、アイアンゴルフクラブのフェース面でスイートスポットの位置を示す図である。
【図４】図４は、本発明のボール衝突点変色シールをアイアンゴルフクラブのフェース面に貼りつける時の正面図である。
【図５】図５−ａは、本発明のボール衝突点変色シールをアイアンゴルフクラブのフェース面に貼りつけた時の正面図であり、図５−ｂは、本発明のボール衝突点変色シールの底辺における曲率半径（ｒ）を示す図であり、図５−ｃは、アイアンゴルフクラブのリーディングエッジにおける曲率半径（Ｒ）を示す図である。
【図６】図６−ａは、本発明のボール衝突点変色シールの、縦軸線（２）、横軸線（３）等を示す図であり、図６−ｂは、本発明のボール衝突点変色シールの、補助縦軸線（４−１、４−２）、補助横軸線（５−１、５−２）等を示す図である。
【図７】図７−ａは、本実施例のボール衝突点変色シールの縦軸線（２）、横軸線（３）等を示す図であり、図７−ｂは、本実施例のボール衝突点変色シールの、補助縦軸線（４−１、４−２）、補助横軸線（５−１、５−２）等を示す図である。
【符号の説明】
１  ボール衝突点変色シール
２  縦軸線
３  横軸線
４−１  補助縦軸線
４−２  補助縦軸線
５−１  補助横軸線
５−２  補助横軸線
６  外形形状
７    目盛
８−１  破線
８−２  破線
９    ヒール側辺
１０    底辺
１１    トップエッジ辺
１２    トウ側辺
１３    トップエッジ
１４  リーディングエッジ
Ｃ  切り欠き部
Ｅ  スコアライン
Ｊ  基準端線からスイートスポットの位置までの距離
Ｋ  リーディングエッジの下端部からスイートスポットの位置までの距離
Ｎ  基準端線
Ｒ  リーディングエッジの曲率半径
ｒ  底辺における曲率半径
Ｓ  スイートスポットの位置
【図１】
0004046481.tif 000002
【図２】
0004046481.tif 000003
【図３】
0004046481.tif 000004
【図４】
0004046481.tif 000005
【図５】
0004046481.tif 000006
【図６】
0004046481.tif 000007
【図７】
0004046481.tif 000008